(57)【要約】【課題】足場の建物に対する固定を確実に行うことができることは勿論、足場と建物との距離がどのようであってもその調整が簡単に行え、しかも簡単な構成で誰でも扱うことのできる建築用足場の固定具を提供すること。【解決手段】建物２０側に固定される取付基板１１と、この取付基板１１に対して開閉自在に連結した少なくとも２本のアーム部材１２と、これら各アーム部材１２の先端に設けられて、足場３０側に連結される連結部１３とを備えたものとして構成したこと。【選択図】図１
2007162411.tif 000002
【特許請求の範囲】
【請求項１】
建物と、これに近接して組み立てられる足場との間に介装されて、前記足場を前記建物に対して固定する固定具であって、
この固定具を、前記建物側に固定される取付基板と、この取付基板に対して開閉自在に連結した少なくとも２本のアーム部材と、これら各アーム部材の先端に設けられて、前記足場側に連結される連結部とを備えたものとして構成したことを特徴とする固定具。
【発明の詳細な説明】
【技術分野】
【０００１】
本発明は、ビルや家屋を建築する際に使用される足場を固定する固定具に関し、特に、足場が転倒しないようして、足場を使用する作業員の安全や、足場が建築中の建物に対する損傷を与えないようすることのできる固定具に関するものである。
【背景技術】
【０００２】
ビルや家屋を建築する際に使用される足場としては、特許文献１にも述べられているように、パイプをコネクタでつないで構築した足場枠や、足場板を掛け渡すようにしたパイプ足場、枠材と足場板を組合わせて構築される枠足場等が多用されている。例えば、パイプ足場は十字やＴ字あるいはＬ字のコネクタを介して一定長のパイプを連結した方形の組合わせからなるパイプ枠組みをビルや家屋の外壁面に沿って構築する。そして、このパイプ枠組みの水平配置された平行な一対のパイプ部分に足場板をフック掛けすることで掛け渡し、これを連続して配置することで足場通路を確保するものである。
【特許文献１】特開平８−１９９７９５号公報、要約、代表図
【発明の開示】
【発明が解決しようとする課題】
【０００３】
特許文献１に記載されている「仮設用足場」は、「足場板の長手方向の寸法調節を可能として足場枠への取り付け利便性を向上し、また独立して使用する際の移動作業性を向上する」ことを目的として提案されているものである。
【０００４】
そして、この特許文献１の「仮設用足場」は、図７及び図８に示すように、「手摺り付き足場板本体１０の端面から引出し可能に延長足場１８を設けている。この延長足場１８には前記足場板本体１０の手摺り１２に伸縮嵌合される延長手摺り２４を設けるとともに、延長足場の端部に係合フック３２を設けた。係合フック３２を用いて足場枠への係合ができるようにする。あるいは、前記係合フック３２を受ける脚立３８を連結し、単独での使用ができるようにしている」ものである。
【０００５】
しかしながら、この特許文献１の「仮設用足場」は、「足場板の長手方向の寸法調節を可能として足場枠への取り付け利便性を向上し、また独立して使用する際の移動作業性を向上する」ことを目的としてなされたものであるから、そのままの状態でもしっかりと立つことができる、という前提の下に構成されたものであり、地震や台風がきたときのことは全く想定していない。
【０００６】
つまり、この種の建築用足場は、通常時には特許文献１に提案されているようなことを行えば十分であると考えられるが、これを何かにしっかりと固定しておかないと、地震や台風がきたときに、倒壊したり作業員を振り落としてしまうことになり兼ねない。そうでなくても、少し強い風が吹いたときに、この足場が建築中の建物側に倒れると、折角形成した「壁」に傷を付けてしまうことにもなる。
【０００７】
また、この建築用足場は、現場の状況に応じて、建物との距離を微妙に変更されながら組み立てられるものであるため、当該足場と建物との間の距離は、現場毎に異なっているのが一般的である。
【０００８】
そこで、本発明者等は、足場の固定を簡単に行うようにするにはどうしたらよいか、について種々検討を重ねてきた結果、本発明を完成したのである。
【０００９】
すなわち、本発明の目的とするところは、足場の建物に対する固定を確実に行うことができることは勿論、足場と建物との距離がどのようであってもその調整が簡単に行え、しかも簡単な構成で誰でも扱うことのできる建築用足場の固定具を提供することにある。
【課題を解決するための手段】
【００１０】
以上の課題を解決するために、まず、請求項１に係る発明の採った手段は、後述する最良形態の説明中で使用する符号を付して説明すると、
「建物２０と、これに近接して組み立てられる足場３０との間に介装されて、足場３０を建物２０に対して固定する固定具１０であって、
この固定具１０を、建物２０側に固定される取付基板１１と、この取付基板１１に対して開閉自在に連結した少なくとも２本のアーム部材１２と、これら各アーム部材１２の先端に設けられて、足場３０側に連結される連結部１３とを備えたものとして構成したことを特徴とする固定具１０」
である。
【００１１】
すなわち、本発明に係る固定具１０は、図１〜図５に示すように、現在建築中の建物２０と、これに近接して組み立てられる足場３０との間に介装されて、足場３０を建物２０に対して固定するものである。
【００１２】
ここで、本発明に係る固定具１０が適用される足場３０について説明すると、この足場３０は、上記特許文献１にも記載されているように、所定箇所に多数の連結ポケット３２を有した複数のパイプ材３１を組み立てて、パイプ材３１自体あるいはこれに設けてある連結ポケット３２を使用して足場板３３を取り付けるようにしたものである。足場板３３は、図１にも示したように、文字通りの足場となる水平面を形成するものである。連結ポケット３２は、パイプ材３１の先端部や他の部材が差し込まれるもので、当該足場３０を組み立てていく場合に使用されるが、通常は、使用されずに余るものが存在する程度に数多く取り付けてある。
【００１３】
さて、本発明に係る固定具１０を構成している取付基板１１は、当該固定具１０を建物２０側に固定あるいは連結するためのものであり、例えば、吸盤を使用したり、最良形態を示す図６に示したようなお椀型の部材を使用したりされるが、要するに、以下で述べていく各部材を建物２０側に固定または連結できるものであれば、どのようなものであってもよい。
【００１４】
また、建物２０側に固定される取付基板１１に対しては、図１〜図３に示すように、少なくとも２本のアーム部材１２が開閉自在に連結してある。これらのアーム部材１２は、足場３０の建物２０に対する距離を調整するとともに、両者間の距離の維持を図るものであり、その開度を調整することにより、種々な距離調整を行えるようにするものである。勿論、各アーム部材１２の開度によって建物２０に対する足場３０の距離を調整するのであるから、これらのアーム部材１２の数は最低２本であるが、３本であったり４本であったりしてもよく、各アーム部材１２については、それ自体が長さ調整できるようにしておいてもよい。
【００１５】
これらのアーム部材１２の使用形態としては、図１に示した例の場合は開度を最大限にしたものであり、足場３０と建物２０との距離を最小にしたものであり、また、図２に示した例の場合は開度を中程度にしたものであり、足場３０と建物２０との距離を中程度にしたものであり、さらに、図３に示した例の場合は開度を最小限にしたものであり、足場３０と建物２０との距離を最大にしたものである。
【００１６】
これら各アーム部材１２は、その先端に設けられた連結材１３によって、足場３０側に連結される。この連結部１３としては、相手方である足場３０の様子に対応させた種々な形態のものが適用できるが、後述する最良形態では、図５に示すように、足場３０を構成するためのパイプ材３１の外周に巻き付けて固定されるリング１３ｄを有した第１連結材１３ａと、パイプ材３１の連結ポケット３２内に挿入されて固定される舌片１３ｃを有した第２連結材１３ｂとに分けている。勿論、この連結材１３としては、第１連結材１３ａまたは第２連結材１３ｂの何れか両方を採用して実施してもよいし、リング１３ｄや舌片１３ｃ以外の固定手段を用いてもよいものである。
【００１７】
各連結材１３によるアーム部材１２の足場３０側への連結位置は、現場の状況に応じて種々変更しなければならないが、この連結材１３の固定位置の調整は、上述した各アーム部材１２の開度調整によって行える。勿論、各アーム部材１２自体の長さを上述したように調整できるようにしておけば、一方の連結材１３による固定位置と他方のそれとで異なった場合にも適用できる。
【００１８】
さて、以上のように構成した本発明に係る固定具１０を使用して、足場３０を建物２０側に固定する作業方法を説明すると、まず、各連結材１３を足場３０側に固定する。この場合、足場３０側の何処に連結ポケット３２があるかを確認し、見つけた連結ポケット３２内に舌片１３ｃお挿入固定して一方の連結材１３の取付を行う。他方の連結材１３については、そのリング１３ｄが固定できるパイプ材３１の存在位置と、ここで取り付けたときの取付基板１１が確実に建物２０側に届くか否かの確認を行い、これに応じた両アーム部材１２の開度調整と、当該連結材１３のパイプ材３１に対する位置合わせを行う。位置が決定されたら、当該連結材１３のリング１３ｄをパイプ材３１に締め付けて両連結材１３の固定を完了する。以上のいずれの調整も、最良形態で示す例では、各アーム部材１２が取付基板１１に対して、また各連結材１３がアーム部材１２に対して回動自在にしてあるから、位置調整が終わるまで各部材間は自由に変化するため、問題なく行える。
【００１９】
一方、取付基板１１については、上述した各連結材１３の固定によって、建物２０に当接した状態になっているから、この取付基板１１が吸盤を使用する場合には空気抜きを、また、最良形態で示す例では、連結軸１４をハンドル１４ｃによって回転させることにより、図６に示すように、そのメネジ部１４ａを建物２０側の固定ネジ２１に螺着して、当該取付基板１１を建物２０側に固定するのである。
【００２０】
以上の当該固定具１０の取付作業は、基本的には足場３０の組立作業と似た方法で行えばよいから、誰でも簡単に行えるだけでなく、それ程変わった工具を必要ともしないものとなっている。勿論、この固定具１０の取り外し作業は、上述したのとは逆に行えばよいことは言うまでもない。
【００２１】
以上のようにして、当該固定具１０を使用して建物２０側に固定した足場３０は、非常に安定したものとなるのであり、通常時の足場３０上における作業の安全性を確保するだけでなく、地震や強風時においても安定しており、足場３０が建物２０側に損傷を与えることも無くすことができる。
【００２２】
なお、この固定具１０は、建物２０の一つの面側に対峙して組み立ててある足場３０に対して１個使用するだけでも十分であるが、複数使用するのが効果的である。
【００２３】
従って、本発明に係る固定具１０は、足場３０の建物２０に対する固定を確実に行うことができることは勿論、足場３０と建物２０との距離がどのようであってもその調整が簡単に行え、しかも簡単な構成で誰でも扱うことができるものとなっているのである。
【発明の効果】
【００２４】
以上、説明した通り、本発明においては、
「建物２０と、これに近接して組み立てられる足場３０との間に介装されて、足場３０を建物２０に対して固定する固定具１０であって、
この固定具１０を、建物２０側に固定される取付基板１１と、この取付基板１１に対して開閉自在に連結した少なくとも２本のアーム部材１２と、これら各アーム部材１２の先端に設けられて、足場３０側に連結される連結部１３とを備えたものとして構成したこと」
にその構成上の特徴があり、これにより、足場３０の建物２０に対する固定を確実に行うことができることは勿論、足場３０と建物２０との距離がどのようであってもその調整が簡単に行え、しかも簡単な構成で誰でも扱える固定具１０を提供することができるのである。
【発明を実施するための最良の形態】
【００２５】
次に、以上のように構成した本発明を、図面に示した最良の形態である固定具１０について説明すると、図１〜図３には、この固定具１０を使用して足場３０を建物２０側に連結した状態が、足場３０と建物２０との距離に合わせた段階に応じて示してある。図１に示した例の場合は足場３０と建物２０との距離を最小にしたものであり、また、図２に示した例の場合は足場３０と建物２０との距離を中程度にしたものであり、さらに、図３に示した例の場合は足場３０と建物２０との距離を最大にしたものである。
【００２６】
固定具１０は、図１等に示したように、建物２０側に固定される取付基板１１と、この取付基板１１に対して開閉自在に連結した少なくとも２本のアーム部材１２と、これら各アーム部材１２の先端に設けられて、足場３０側に連結される連結部１３とを備えたものである。
【００２７】
取付基板１１は、図４及び図６に示したように、お椀状に形成したものであり、その中心には連結軸１４が回動自在に挿入されおり、この連結軸１４は内外の両抜け止め１４ｄによって取付基板１１に対して抜け止めしてある。
【００２８】
この連結軸１４の取付基板１１内先端は、取付基板１１の外周を形成しているフランジ部の内側となるようにしてあり、このフランジ部は建物２０側に当接することになるものである。この取付基板１１のフランジ部は、ここを利用して建物２０側にネジ止めされることもあるが、本最良形態では、連結軸１４の取付基板１１内先端を建物２０側に取り付けた固定ネジ２１に螺着（ネジ止め）することにより、当該固定具１０の建物２０側への固定を行うようにしている。つまり、連結軸１４の取付基板１１内先端には、図６に示したように、メネジ部１４ａが形成してあり、このメネジ部１４ａには、建物２０側に取り付けた固定ネジ２１が螺着されるのである。
【００２９】
また、取付基板１１の中心に挿通固定した連結軸１４の一部には、図６に示したようにハンドル１４ｃが設けてあり、このハンドル１４ｃを回動させることにより、連結軸１４の取付基板１１に対する回動が行えるようにしてある。つまり、取付基板１１の固定ネジ２１に対する螺着は、このハンドル１４ｃの回動によって取付基板１１の外から行えるようにしてある。そして、この連結軸１４のメネジ部１４ａとは反対側部分にはオネジ部１４ｂが形成してあり、このオネジ部１４ｂには各アーム部材１２のための枢着枠１２ａが螺着される。
【００３０】
各アーム部材１２は、図１にも示したように、足場３０と建物２０との距離を実質的に支えるものであり、本最良形態ではチャンネル材を使用して形成したが、当該アーム部材１２自体を伸縮自在なものとして形成して実施してもよいものである。これら各アーム部材１２の取付基板１１側端部には、図６に示したように、１つの枢着枠１２ａが回動自在に連結してあり、この枢着枠１２ａによって取付基板１１に対する各アーム部材１２の開度調整が行えるようにしてある。勿論、この枢着枠１２ａは、上述したように連結軸１４に対して螺着したものであるから、この枢着枠１２ａの連結軸１４に対する位置調整が自由に行えるのであり、これにより各アーム部材１２の長さ調整が行えるようになっている。
【００３１】
各アーム部材１２の、枢着枠１２ａとは反対側端部には、図１及び図５に示したように、連結材１３が取り付けてある。本最良形態では、この連結材１３として、図示上側に示したようなリング１３ｄを有する第１連結材１３ａと、図示下側に示したような舌片１３ｃを有する第２連結材１３ｂとを採用している。第１連結材１３ａのリング１３ｄは、図１及び図６に示したように、足場３０を構成している各パイプ材３１に形成してある連結ポケット３２内に挿入して、当該第１連結材１３ａを足場３０に対して固定するものであり、一方、第２連結材１３ｂの舌片１３ｃは、パイプ材３１の周囲に巻き付け固定されるものである。
【００３２】
以上のリング１３ｄを有する第１連結材１３ａも、舌片１３ｃを有する第２連結材１３ｂも、いずれか一方だけを使用して実施してもよいが、両方のアーム部材１２に同じものを使用して実施してもよいものである。
【図面の簡単な説明】
【００３３】
【図１】本発明に係る固定具を示すもので、各アーム部材が最大限に開いた状態の側面図である。
【図２】同固定具を示すもので、各アーム部材が中程度に開いた状態の側面図である。
【図３】同固定具を示すもので、各アーム部材が最小限に開いた状態の側面図である。
【図４】同固定具の取付基板を中心にしてみた部分斜視図である。
【図５】同固定具の連結材を中心にしてみた部分斜視図である。
【図６】同固定具の取付基板及びこれに挿通した連結軸を中心にしてみた拡大断面図である。
【図７】従来の足場を示す斜視図である。
【図８】図７に示した足場を使用している状態を示す斜視図である。
【符号の説明】
【００３４】
１０    固定具
１１    取付基板
１２    アーム部材
１２ａ  枢着枠
１３    連結材
１３ａ  第１連結材
１３ｂ  第２連結材
１３ｃ  舌片
１３ｄ  リング
１４    連結軸
１４ａ  メネジ部
１４ｂ  オネジ部
１４ｃ  ハンドル
１４ｄ  抜け止め
２０    建物
２１    固定ネジ
３０    足場
３１    パイプ材
３２    連結ポケット
３３    足場板
【図１】
2007162411.tif 000003
【図２】
2007162411.tif 000004
【図３】
2007162411.tif 000005
【図４】
2007162411.tif 000006
【図５】
2007162411.tif 000007
【図６】
2007162411.tif 000008
【図７】
2007162411.tif 000009
【図８】
2007162411.tif 000010